(57)【特許請求の範囲】
【請求項１】
フレーム（１０，１００）は、フレーム（１０，１００）を装着する使用者の皮膚に対して開く少なくとも１つの貫通開口（１１ａ，１１ｂ，２８ａ，２８ｂ，１０３ａ，１０３ｂ）を有し、
少なくとも１つの防水性で蒸気透過性の機能的挿入体（１２，３０，１０４）が設けられて、前記少なくとも１つの貫通開口（１１ａ，１１ｂ，２８ａ，２８ｂ，１０３ａ，１０３ｂ）を蒸気透過可能な方法で遮って使用者の皮膚からの蒸気の透過を可能にすると共に、皮膚への液体の逆戻りを防止するように配置され、フレーム（１０，１００）の少なくとも一部分が２つの結合部品からなり、少なくとも１つの防水性で蒸気透過性の機能的挿入体（１２，３０，１０４）が前記２つの結合部品の間に介在し、前記少なくとも１つの開口（１１ａ，１１ｂ，２８ａ，２８ｂ，１０３ａ，１０３ｂ）は、前記フレーム（１０，１００）の側頭部分に設けられ、前記フレーム（１０，１００）を装着している使用者の側頭部に対面するように、および／又は側頭部上に設置されるようにデザインされた、少なくとも１つの側頭部蒸気透過用開口（１１ｂ，１０３ｂ）を備えることを特徴とする、
使用時に使用者の眼の領域の前の位置に、少なくとも１つの矯正および／又は保護レンズを支持するように構成された、眼鏡用および職業的に又はスポーツに使用するマスク等用のフレーム（１０，１００）。
【請求項２】
前記少なくとも１つの機能的挿入体（１２，３０，１０４）は、
−ポリテトラフルオロエチレン、ＰＴＦＥ、
−ポリウレタン、ＰＵ、
−ポリエステル、ＰＥＳ、
−ポリプロピレン、ＰＰ、および
−ポリエチレン、ＰＥ、
の間から選択された高分子材料から作られた少なくとも一層の膜を備えることを特徴とする請求項１記載のフレーム。
【請求項３】
前記少なくとも１つの機能的挿入体（１２，３０，１０４）は、前記機能的挿入体が閉鎖する前記少なくとも１つの開口（１１ａ，１１ｂ，２８ａ，２８ｂ，１０３ａ，１０３ｂ）を区画する壁に、防水性の密封を施こすように接続されることを特徴とする請求項１又は２記載のフレーム。
【請求項４】
少なくとも１つの吸収性で蒸気透過性の要素（２０ａ，２０ｂ，３１，１０５）を備え、前記吸収性で蒸気透過性の要素は前記少なくとも１つの機能的挿入体（１２，３０，１０４）の内面を覆い、前記内面は、使用中には、使用者の皮膚の方に向けられ、前記吸収性で蒸気透過性の要素（２０ａ，２０ｂ，３１，１０５）は汗を吸収して染み込みによる汗の保有を防止することができることを特徴とする請求項１〜３のいずれか１つに記載のフレーム。
【請求項５】
前記吸収性で蒸気透過性の要素（２０ａ，２０ｂ，３１，１０５）は、
−フェルト
−不繊布
−高分子材料の網
−マイクロファイバーおよび
−なめし革
の中から選択された材料で作られることを特徴とする請求項４記載のフレーム。
【請求項６】
前記少なくとも１つの機能的挿入体（１２，３０，１０４）の外面を実質的に覆う少なくとも１つの蒸気透過性および／又は穴あきのカバー要素（２２ａ，２２ｂ，１０６，１０７）を備え、前記外面は、前記フレーム（１０，１００）を装着している使用者の皮膚に向く面に対して反対側にあることを特徴とする請求項１〜５のいずれか１つに記載のフレーム。
【請求項７】
前記少なくとも１つの開口（１１ａ，１１ｂ，２８ａ，２８ｂ，１０３ａ，１０３ｂ）は、使用者の鼻に載置されるようにデザインされた、前記フレーム（１０，１００）の鼻の部分に設けられる、鼻の蒸気透過用の少なくとも１つの開口（１１ａ，１１ｂ，２８ａ，２８ｂ，１０３ａ，１０３ｂ）を備えることを特徴とする請求項１〜６のいずれか１つに記載のフレーム。
【請求項８】
使用者の耳に載置されるための２つの耳づる（１３，１４）を備え、前記少なくとも１つの開口（１１ａ，１１ｂ，２８ａ，２８ｂ，１０３ａ，１０３ｂ）は前記耳づる（１３，１４）を横切って貫通する開口を備え、前記開口は、前記耳づる（１３，１４）の少なくとも自由端部分（２３，２４）を貫通して使用者の皮膚に対面および／又は接触するようになっていることを特徴とする請求項１〜７のいずれか１つに記載のフレーム。
【発明の詳細な説明】
【技術分野】
【０００１】
この発明は、眼鏡用および職業的に又はスポーツに使用するマスク等用のフレームに関する。
【背景技術】
【０００２】
現在、眼鏡は、眼の機能性における屈折の障害や不足による欠陥を矯正することによって使用者の視力を改善するために、又は太陽光から眼を守るために、又は雨や雪のような大気の条件によって弱められることがある可視性の維持を促進するために、又は作業環境から眼を保護するために、多くの用途において一般的に用いられる。
【０００３】
概して、眼鏡および／又はサングラスは、レンズを支持する前面に蝶番でつなぐ（articulate）方式又は可撓性を有する方式で接続されて一部品方式のフレームモデルに設けられる、鏡眼のつる（temples）としても知られた２つの耳づるを備えたレンズ支持フレームから構成される。
【０００４】
三部品方式のフレームモデルにおいては、耳づるは２つの対応する端部部品に蝶番でつながれるか又は可撓性を有するように接続されるが、その端部部品は、使用者の鼻に載置される鼻当てを支持するブリッジによって連結されるレンズに接続するようになっている。
【０００５】
さらに、例えばスポーツに使用するマスクにおいて厳しい気象条件から、又は作業環境から使用者の眼の領域を守るために適応されるレンズ用の支持縁付きフレームを有する保護マスクが、現在、知られている。
【０００６】
一般的に伸縮性のあるストラップが縁付きフレームに結合され、眼の領域を守るために使用者に装着されたときに、マスクを正しい位置に堅固に保持するようになっている。
【０００７】
現在、両眼タイプ、つまり単一レンズの代りに２つの別個のレンズを有する保護マスクのモデルも知られている。
【０００８】
特に、スポーツ又は作業に使用するためのマスクの分野において、換気の現象、つまりマスク内の循環を増大させてレンズのくもりを防止することを目ざした解決策を見出すことに、絶えず大きい注意が払われてきた。
【０００９】
技術の現状において、レンズの中又はフレームの上、下、又は横の部分に形成された小さな穿孔やスロットを有し、マスクと、マスクを装着している使用者の眼の領域との間で空気が循環してレンズの内面を流れてレンズのくもる可能性を低減する、いくつかの発明がある。
【００１０】
例えば、米国特許第６００９５６４号および米国特許第５４５２１３０号は、スポーツタイプ又は作業タイプのマスクフレームの前部および／又は上部に設けられた複数の開口を開示するが、その開口は厳しい環境や気象条件での使用中に雪や砂によって容易にふさがれる。
【００１１】
さらに、雨の場合には、そのような開口は、マスクの内側に雨水を通すので、その利便性や使用効率に対してきわめて不利益をもたらす。
【００１２】
さらに、実質的にすべての現在知られているフレームタイプは、眼鏡およびサングラスの両用であり、耳づると前部とを有するか、又は三部品方式であるが、マスク用の縁付きフレームと同様に、使用者の皮膚に接触する領域、特に載置によって接触する領域における皮膚からの蒸気の透過を実質的に妨げるという欠点を被る。
【００１３】
この欠点は、額および額の隣接領域には汗腺が特に豊富にあるという観察に基づいてなおさら問題とされる。
【００１４】
従って、眼鏡又はマスクによって覆われる実際の面は、発汗の重要な生物学的機能が特に問題とされるので、使用者への不快感を防止するために正しい蒸気透過を保証することによってその発汗機能が保護されなければならない。
【００１５】
実際、スポーツに使用するための又は保護のための眼鏡、サングラス又はマスクを装着した人々に知られているように、汗の煩わしい停滞が、フレームと使用者の皮膚との間の接触領域に生じる。
【００１６】
そこに形成された汗は、その蒸発が妨げられるので、実際、皮膚の上に直接留まり、フレームの上で液化する。
【００１７】
そのような現象は特に、スポーツ又は保護タイプのゴーグル（goggles）において顕著であり、実際、ゴーグルを介しての蒸気透過はほぼ完全にその中で妨げられる。
【００１８】
さらに、もしフレームが汗や汗が運んできた脂でよごれた物質から、適切にきれいになっていない場合には、時間が経つと急速に繁殖して目の伝染病を引き起こす菌類およびバクテリアのような病原微生物のコロニーが生成する理想的培養媒体である堆積物が、形成されることがある。
【００１９】
発明の開示
この発明の目標は、蒸気透過性であるという点で、従来のフレームの欠点と限界を克服することを可能にする、眼鏡用および職業的な使用又はスポーツに使用するマスク等用のフレームを提供することである。
【００２０】
この目標内で、この発明の目的は、皮膚を介して透過した汗の液体が使用者の皮膚の上に停滞することを防止するフレームを提供することである。
【００２１】
この発明の他の目的は、フレームによって覆われた領域における使用者の皮膚の上に有害なバクテリアのコロニーの増殖の危険性を、従来のフレームに対して、著しく制限することを可能にするフレームを提供することである。
【００２２】
この発明の他の目的は、眼鏡の分野における使用のために、又は太陽に対する保護のために、又は使用者の眼の領域の生物学的バランスに対して攻撃的である環境で使用される保護マスクの分野における使用のために、および風や寒さや強烈な熱放射に対する保護のために、又は砂や花火等の粒のような自由粒子に対する保護のために、異なるモデルで提供可能な蒸気透過フレームを考案することである。
【００２３】
この目標およびこれらの目的は、以下においてより明らかになるが、フレームがフレームを装着する使用者の皮膚に向って開く少なくとも１つの貫通開口を有し、
少なくとも１つの防水性で蒸気透過性の機能的挿入体（functional insert）が設けられて、前記少なくとも１つの貫通開口を蒸気透過可能な方法で遮って使用者の皮膚からの蒸気の透過を可能にすると共に、皮膚への液体の逆戻りを防止するように配置されたことを特徴とする、
使用時に使用者の眼の領域の前の位置に、少なくとも１つの矯正および／又は保護レンズを支持するように構成された、眼鏡用および職業的に又はスポーツに使用するマスク等用のフレームによって達成される。
【００２４】
この発明のさらなる特徴と利点は、添付図面の中の非限定実施例によって示される、この発明によるフレームの好ましいが排他的でない実施形態の説明から明らかになるであろう。
【図面の簡単な説明】
【００２５】
【図１】図１は、第１実施形態における、この発明によるフレームの斜視図である。
【図２】図２は、この発明による図１のフレームの細部の拡大分解斜視図である。
【図３】図３は、この発明によるフレームの構造的変形の拡大断面斜視図である。
【図４】図４は、第２実施形態における、この発明によるフレームの正面図である。
【図５】図５は、この発明による図４のフレームの側面図である。
【図６】図６は、第２実施形態に設けられる、この発明によるフレームの細部の分解斜視図である。
【００２６】
発明の実施方法
図を特に参照すると、参照番号１０は眼鏡用フレームを全体的に示し、そのフレームは、使用中に使用者の眼の領域の前に設けられた位置に２つの矯正および／又は保護レンズを支持するようになっている。
【００２７】
この発明によれば、フレーム１０は、フレーム１０を着用している人の皮膚に向って開いた複数の貫通開口１１ａと１１ｂを有し、対応する開口１１ａと１１ｂを蒸気が透過できるように遮り、それらを介しての使用者の皮膚からの水蒸気の透過を可能にすると共に、液化したものが皮膚に戻ることを防止するように防水性と蒸気透過性の機能的挿入体が設けられている。
【００２８】
図２を参照すると、前記機能的挿入体の１つが、概略的に示されると共に、参照番号１２によって示されている。
【００２９】
特に、その機能的挿入体は、それが閉じる開口１１ａと１１ｂを区画する壁に、防水シールを施すように都合よく接続される。
【００３０】
例えば、図１と２に、非限定の実施例によって示されるように、耳づる１３と１４および鼻あて１５と１６が都合よく２つの結合された部品の中に設けられ、以後包括的に述べられるように、その間に機能的挿入体が挿入される。
【００３１】
特に、図２は、鼻当て１５と１６の内の第１鼻当て１５の構造を非限定的実施例によって示すが、第２鼻当て１６および耳づる１３と１４の構造は実質的に同等であるので、さらに説明されない。
【００３２】
都合のよいことに、第１鼻当て１５はその厚み方向に貫通し、開口１１ａと１１ｂの内の鼻の蒸気透過開口１１ａを形成する。第１鼻当て１５は、フレーム１０の前部１７に結合された第１部分１５ａと、第１部分１５ａに結合された第２部分１５ｂとによって都合よく形成され、それらに一致するように形成された機能的挿入体１２がそれらの間に介在する。
【００３３】
部分１５ａと１５ｂは、都合よく環状構造を有して２つの対応する窓１８と１９を備え、部分１５ａと１５ｂが結合されるとき、窓１８と１９は協働して鼻の蒸気透過開口１１ａを形成する。
【００３４】
第１部分１５ａは、接着接合により第２部分１５ｂに都合よく結合され、機能的挿入体１２の周縁領域は部分１５ａと１５ｂに気密的に結合される。機能的挿入体１２は、接合に用いられる接着剤からほとんど離れたままであり、窓１８と１９を介しての蒸気透過性を維持し、使用中に鼻の蒸気透過開口１１ａを形成する。
【００３５】
発明の他の実施形態において、例えば、その部分は、機能的挿入体がその間に挿入された状態で、上下の高周波溶接又はオーバーモールドによって結合されることが可能である。
【００３６】
都合のよいことであるが、吸収性および蒸気透過性の要素２０ａと２０ｂが設けられて機能的挿入体の内面を覆う。その内面は、使用中には、使用者の皮膚の方を向く。
【００３７】
吸収性および蒸気透過性の要素２０ａと２０ｂは、汗を吸収することができ、かつ、染み込みによる保有を防止することができると、好都合である。
【００３８】
特に、吸収性および蒸気透過性の要素２０ａと２０ｂの内の第１要素２０ａは、窓１８と１９の第１の窓１８に収容されるように形づくられる。第１の窓１８は第１の鼻当て１５の第１部分１５ａを貫通して開かれている。
【００３９】
ほぼ均等な方法で、吸収性および蒸気透過性の要素２０ａと２０ｂの内の第２要素２０ｂは、窓２１に収容されるように形づくられる。窓２１は長手方向に延びて耳づる１３と１４の内側部分１３ａと１４ａの中に開かれ、開口１１ａと１１ｂの内の側頭部の蒸気透過開口１１ｂの内側部分を形成する。
【００４０】
特に、吸収性および蒸気透過性の要素２０ａと２０ｂは、
−フェルト、
−不繊布
−高分子材料の網
−マイクロファイバー
−なめし革
−および同等品
の間から選択された材料で作られると都合がよい。
【００４１】
フレーム１０は、都合のよいことに、蒸気透過性の及び／又は穴あきのカバー要素２２ａと２２ｂをさらに備え、要素２２ａと２２ｂは機能的挿入体の外面を実質的に覆い、その外面は、フレーム１０を装着する使用者の皮膚と対向する面に対して反対側にある。
【００４２】
一般的に、この発明のフレームの実施要件によれば、そのようなフレームは横方向の貫通開口を有する耳づるを備え、その貫通開口は少なくとも自由端部分を貫通し、その自由端部分は使用者の皮膚に対面および／又は接触するようになっており、非限定実施例として図１の参照番号２３と２４によって示されている。
【００４３】
非限定実施例としてここに説明されるフレーム１０において、横方向の貫通開口は、側頭部の蒸気透過性開口１１ｂを備えると都合がよい。
【００４４】
さらに、不測の要求によれば、そのカバー要素は、網状又は格子状構造を有することができる。
【００４５】
この発明によるフレームの構造的変形において、フレームは使用者の鼻に適応するように蝶番でつながった鼻当てを備えることができるが、その鼻当てはフレームを鼻の上に支持するようになっている。
【００４６】
図３は、さらなる実施形態による有節の鼻当てを、非限定実施例として示し、全体的に参照番号２５で示される。
【００４７】
有節の鼻当て２５は、この発明によるフレームの鼻の部分に、本質的に公知の、従ってさらに説明しない方法で蝶番でつながるようになっている蝶番部分２６を備えると都合がよい。
【００４８】
さらに、鼻当て２５は、好ましくは、構造体２７を備え、構造体２７は蝶番部分２６に接続されて開口２８ａと２８ｂを有し、開口２８ａと２８ｂは、フレームの使用中は、使用者の皮膚を構造体２７を介して周囲の環境に接続し、有節の鼻当て２５は、人間工学的に形づくられた載置接触壁２９によって使用者の皮膚の上に載置されると都合がよい。
【００４９】
防水性で蒸気透過性の機能的挿入体は、図３において参照番号３０で示され、載置接触壁２９を貫通する開口２８ａと２８ｂの内の第１鼻用蒸気透過開口２８ａを都合よく覆い、例えば載置接触壁２９に周縁の接着剤による接着によってそれらを防水性の密封によって閉じる。
【００５０】
従って、機能的挿入体３０は、第１鼻用蒸気透過開口２８ａを介して、使用中に鼻当て２５が載置される使用者の皮膚からの蒸気の透過を可能にし、同時に、皮膚へ液体が戻ることを防止する。
【００５１】
吸収性と蒸気透過性要素がまた設けられ、図３において参照番号３１で示され、機能的挿入体３０を覆い、汗を吸収すると共に染み込みによる停滞を防止すると都合がよい。
【００５２】
さらに、構造体２７は、高分子材料で作られると都合がよく、開口２８ａと２８ｂの内の第２鼻用蒸気透過開口２８ｂを都合よく有する裏壁３３と、載置接触壁２９とによって区画される蒸気透過性チャンバーを形成する箱状構造を有すると有利である。
【００５３】
構造体２７は、吸収性で蒸気透過性材料、例えば、フェルトや不繊布などで作られると、好都合である。
【００５４】
好ましくは、裏壁３３は例えばシリコーンのような柔軟な材料で作られた仕上げ要素３４で覆われるが、仕上げ要素３４は第２鼻用蒸気透過開口２８ｂを開放するために貫通孔を備えると好都合である。
【００５５】
ここではさらに説明しない鼻当て２５の構造的な変形においては、防水性および蒸気透過性機能的挿入体は、かなりの厚さを有し、それを組込んだフレームを正しく使用するときに経験される変形に対する独立した抵抗をそれに与るので、吸収性および蒸気透過性要素を備えない。
【００５６】
そのような構造的変形において、防水性および蒸気透過性の機能的挿入体は、好ましくは、高分子材料で作られ、十分な厚さを有する単一層として押し出し形成されるか、又は複数の重合層の積層によって得られるか、又は単一の密着要素を得るために追加の挿入体を介在させた複数層の積層によって得られる。
【００５７】
高分子材料は、ポリテトラフルオロエチレン、ＰＴＦＥ、ポリウレタン、ＰＵ、ポリエステル、ＰＥＳ、ポリプロピレン、ＰＰ、ポリエチレン、ＰＥ、などから選択されると、好都合である。
【００５８】
そのような特性を有する機能的挿入体は、例えばＰＴＦＥ材料で作られ好ましくは０．１ｍｍと３．０ｍｍの間の厚さを有する単層又は例えば発泡ＰＴＦＥ材料で作られ、好ましくは０．１ｍｍ〜５．０ｍｍの範囲内の厚さを有する多重層を用いることによって得ることができる。
【００５９】
変形として、ＰＯＲＥＸ（登録商標）という商標で一般に知られた焼結された多孔性の高分子複合材料を有利に使用することができる。
【００６０】
この発明の不測の実施要求によれば、鼻当て２５の異なる構成方法が選択される。
【００６１】
特に、例えば、機能的挿入体３０は、与えられた型で熱予備成型され、好ましくは、それが周辺の接着接合により実質的に都合される構造体に一致すると好都合である。
【００６２】
変形としては、この発明によるフレームの鼻当てのさらなる構成方法において、鼻当ての構造体はゴンドラのように形づくられ、吸収性で蒸気透過性の材料で作られると好都合である。
【００６３】
この構成方法において、構造体は、例えばフェルトのような蒸気透過性材料で作られるので、開口や蒸気透過チャンバを備えない。それは、それらの機能、つまり、構造体を介して水蒸気を通過させることが、構造体の蒸気透過性構造によって同じように行われるからである。
【００６４】
機能的挿入体は蒸気透過性の構造体の上で熱い間に例えば適当なホットモールドの中で構造体と機能的挿入体を配置し、型を作動させて機能的挿入体を構造体に一致させ、それらを一体的に結合することによって、オーバーモールドされると好都合である。
【００６５】
図４，５および６を特に参照すると、この発明によるフレーム１００は、第２実施形態において、マスク１０２を形成するために、レンズ１０１を支持する縁どり構造を有する。
【００６６】
この発明によれば、フレーム１００は、それを装着する使用者の皮膚の方に向って開いた貫通開口１０３ａと１０３ｂを備える。
【００６７】
防水性で蒸気透過性の機能的挿入体は、使用者の皮膚から蒸気を透過させ、皮膚へ液体が戻ることを防止するために、開口１０３ａと１０３ｂを蒸気透過可能に遮るように配置される。
【００６８】
機能的挿入体は、それらが閉じる開口１０３ａと１０３ｂを区画する壁に防水シールを施こすように接続されると好都合である。
【００６９】
開口１０３ａと１０３ｂは、
−フレーム１００の鼻部分に設けられ、使用者の鼻に静止するようにデザインされた鼻の蒸気透過開口１０３ａと、
−フレーム１００の側頭部分に設けられ、それを装着している使用者の側頭領域に対面するように、および／又は側頭領域に静止するようにデザインされた側頭部の蒸気透過開口１０３ｂ、
からなる。
【００７０】
側頭部の蒸気透過開口１０３ｂは、機能的挿入体の第１機能挿入体１０４によって閉じられると好都合である。第１機能挿入体１０４はマスク１０２の内側の表面で、吸収性で蒸気透過性の要素１０５によって覆われ、要素１０５の内面は、使用中に使用者の皮膚の方を向くと好都合である。
【００７１】
吸収性で蒸気透過性の要素１０５は汗を吸収して染み込みによる保有を防止できると好都合であり、
−フェルト、
−不繊布、
−高分子材料の網、
−マイクロファイバー、
−なめし革、
−およびその他、
の中から選択された材料で作られることが好ましい。
【００７２】
さらに、フレーム１００は、実質的に均等な構造上の変形において、穴あき又は蒸気透過性被覆要素１０６によって保護された第１機能的挿入体１０４を有すると、好都合である。
【００７３】
被覆要素１０６は、第１機能的挿入体１０４の外面を実質的に覆うと好都合である。なお、その外面はフレーム１００を装着する使用者の皮膚の方に向く面と反対側にある。
【００７４】
説明も、図示もしないが、同様に、機能的要素の第２機能的挿入体が設けられ、鼻の蒸気透過開口１０３ａを封じる。
【００７５】
第２機能的挿入体は、添付図に示されない吸収性で蒸気透過性の要素によってマスク１０２の内面において覆われると好都合であるが、その内面は、使用中には使用者の皮膚の方を向き、吸収性で蒸気透過性の要素は汗を吸収して染み込みによる保有を防止できると好都合であり、好ましくは、
−フェルト、
−不繊布、
−高分子材料の網、
−マイクロファイバー、
−なめし革、
−およびその他、
の中から選択された材料で作られる。
【００７６】
さらに、図４と５において、参照番号１０７は第２機能的挿入体用の被覆要素を示すが、それは実質的に被覆要素１０６と実質的に同等であるので、これ以上は説明しない。
【００７７】
この発明によるフレームの構造的変形において、そのフレームはここに図示しないマスクを備えるように構成され、防水性で蒸気透過性の機能的挿入体がかなりの厚さを有し、それを組み込むフレームの正しい使用時に経験される変形応力に対する独立的な抵抗をそれに与えることができ、従って、吸収性で蒸気透過性の要素を除去することができる。
【００７８】
さらに、別の構造的変形において、この発明によるフレームは、機能的挿入体によって防水性と蒸気透過性を有するように閉じられた開口を有し、使用者の眼の領域の周辺で、使用者の顔に設置されるようになっているフレームの全輪郭上に使用者の皮膚に直接接触する部分のほぼ全体においてマスクを形成するように構成される。その機能的挿入体は、かなりの厚さ、つまり、機能的挿入体を組み込んだフレームの正しい使用時に経験される独立した抵抗を与えるような厚さを有することが好ましい。
【００７９】
防水性および蒸気透過性という用語は、水、特に、液体状の、つまり液化された汗に対して不浸透性であり、かつ、水蒸気に対して浸透性である機能的挿入体の品質を示す。
【００８０】
一般的に、この発明によるフレームの実施の不測の要求によれば、フレームは少なくとも一つの貫通開口を有し、その貫通開口はフレームを装着する使用者の皮膚に向って開き、少なくとも１つの防水性で蒸気透過性の機能的挿入体が備えられ、その挿入体は、貫通開口を蒸気透過可能にふさいで使用者の皮膚からの蒸気の透過を可能にし、皮膚へ液体が戻ることを防止するように配置される。
【００８１】
実質的に均等な方法で、その少なくとも１つの開口は、フレームの少なくとも１つの蒸気透過性領域によって置換されてもよい。
【００８２】
この発明の実施の不測の要求によれば、機能的挿入体は、
−薄手の、つまり例えば、１０ミクロンと１００ミクロンの間の寸法を実質的に有する厚さを有し、高分子材料で作られた少なくとも１つの防水性で蒸気透過性の膜、
−厚手の、つまり、例えば、０．１ｍｍと５ｍｍの間の寸法を実質的に有する厚さを有し、発泡又は非発泡のいずれかである高分子材料で作られた１つの防水性で蒸気透過性の膜であって、単体又は多重層と凝集のいずれかである膜、
−焼結された多孔質の複合高分子材料、例えば、ＰＯＲＥＸ（登録商標）として商業的に知られた製品で作られた少なくとも１つの層
の間から選択的に備える。
特に、高分子材料は、
−ポリテトラフルオロエチレン、ＰＴＦＥ
−ポリウレタン、ＰＵ、
−ポリエステル、ＰＥＳ、
−ポリプロピレン、ＰＰ、
−ポリエチレン、ＰＥ、
−および、その他
の間から選択されると、好都合である。
【００８３】
この発明の実施の不測の要求によれば、機能的挿入体は、そのような膜で作られた少なくとも１つの層を備え、例えば、機能的挿入体は前記高分子材料の単体として作られてもよいし、複数層の膜の密着積層体として作られてもよいし、蒸気透過性層により保護のために覆われた膜の１つにより、又は特に好ましい溶液の中で作られてもよく、機能的挿入体は、
−０．１ｍｍと３ｍｍの間の厚さを都合よく有する単体として、又は
−０．１ｍｍと５ｍｍの間の厚さを都合よく有する積層体として、
ポリテトラフルオロエチレン、ＰＴＦＥから作られてもよい。
【００８４】
さらに、この発明の実施の不測の要求により、機能的挿入体は、例えば、ポリオレフィン、ナイロン、ポリエステル、アラミドファイバー又はフルオロポリマーからなる不繊布、ネット、網および多の多孔フィルムのような水蒸気を透過可能な多孔材料を介在させた、ＰＴＦＥ又は均等物によって作られた複数の層を備えてもよい。
【００８５】
実際、見出されたことであるが、この発明は、職業的な、又はスポーツの用途のための眼鏡のフレームやマスクを提供することによって、意図された目標と目的を達成し、蒸気透過性であるという点で、従来のフレームの欠点と限界を克服することを可能にする。
【００８６】
特に、この発明によるフレームは、皮膚を透過して液化した汗が、使用者の皮膚上に停滞することを防止することができ、フレームの開口を通り開口を閉じる機能的挿入体を実際に汗が蒸気の形で透過する。
【００８７】
機能的挿入体を透過した汗がフレームの外側で液化した場合でも、機能的挿入体は、防水性でありフレームを防水方式で閉じるので、汗が皮膚に接触するところまで戻ることを防止する。
【００８８】
さらに、この発明によるフレームは、フレームによって覆われる領域において、使用者の皮膚の上で有害なバクテリアのコロニーが増殖する危険性を従来のフレームに対して大きく限定することができる。実際、皮膚によって生成される汗の蒸気を透過させて、その停滞、従って、皮膚に接触して増殖するバクテリアの巣の形成を防止する。
【００８９】
さらに、この発明による蒸気透過性フレームは、使用の不測の要求に適応できるように、最も異なるモデルを備えてもよい。例えば、そのフレームは眼鏡および／又はサングラスの分野での使用に適合されることが可能で、継ぎ目のない形で、随意に「縁なし」と呼ばれる形で、又は３つの部品からなる形で提供される。
【００９０】
変形として、この発明によるフレームは、風、冷気又は強度の熱放射に対する保護又は砂や花火などのような自由粒子に対する保護のためのような、使用者の眼の領域の生物学上のバランスに対して攻撃的な環境で使用される保護マスクを形成するために、提供される。
【００９１】
このように考案されたこの発明は、多数の変更や変形を受け入れることができ、それらすべては、添付の特許請求の範囲内にあり、全ての詳細は他の技術的均等要素とさらに置換されることが可能である。
【００９２】
実施に際して、使用される材料は、特定の使用、不測の形状や寸法で互換性がある限り、要求によりおよび技術の状態に対して、どのようなものであってもよい。
【００９３】
この出願が優先権を主張するイタリア国特許出願第ＰＤ２０１０Ａ０００２３７号における開示は、引用によってここに組み込まれる。
【００９４】
請求項に記載された技術的特徴には参照符号が付けられているが、これらの参照符号は請求項の明瞭性を増大するという基本的な目的のために備えられたものである。従って、そのような参照符号は、その参照符号による例によって特定された各要素の説明について限定的な効果をもつものではない。
【図１】
0006018056.tif 000002
【図２】
0006018056.tif 000003
【図３】
0006018056.tif 000004
【図４】
0006018056.tif 000005
【図５】
0006018056.tif 000006
【図６】
0006018056.tif 000007